(57)【特許請求の範囲】
【請求項１】
抽斗スライドレールキットは、第一レール、第二レール、及び、抽斗フレーム、嵌着部材を有し、
前記第二レールは、前記第一レールに対して相対移動可能に前記第一レールに取り付けられ、前記第二レールは、嵌着部及び端部に切り欠きを有し、
前記抽斗フレームは、前記第二レールに取り付けられるキャリアを有し、
前記嵌着部材は、前記切り欠きに嵌入される固定部材によって前記キャリアに固定され、
前記抽斗フレームが前記第二レールに取り付けるとき、前記抽斗フレームは、前記嵌着部材を通して前記嵌着部に嵌着され、前記第二レールと前記抽斗フレームとが相対移動不能になり、
前記キャリアは、前部を有し、
前記嵌着部材は、前記キャリアの前部に取り付けられ、
前記キャリアは、位置が前記前部に相対する後部を有し、
前記キャリアの前記後部は、側面に接触部を有し、前記第二レールは、前記接触部と同じ側の側面に係止部を有し、前記係止部は、前記第二レールから突出するように前記第二レールと一体に成形され、
前記接触部は、前記係止部に接触し、前記係止部の係止を受けることを特徴とする抽斗スライドレールキット。
【請求項２】
前記嵌着部は、複数の第一嵌着ブロックを有し、
前記嵌着部材は、前記キャリア上に取り付けられるベース、前記ベースから延伸する弾力アーム、及び、前記弾力アーム上に位置する複数の第二嵌着ブロックを有し、
前記第一嵌着ブロック及び前記第二嵌着ブロックは、交差して嵌着され、前記第二レールと前記抽斗フレームとが相対移動不能になることを特徴とする請求項１に記載の抽斗スライドレールキット。
【請求項３】
前記第一嵌着ブロックは、前端に第一斜面を有し、
前記第二嵌着ブロックは、前端に第二斜面を有し、
前記第二嵌着ブロックは、前記第二斜面により、前記第一嵌着ブロックの第一斜面を越え、前記第一嵌着ブロックと前記第二嵌着ブロックとは交差して嵌着されることを特徴とする請求項２に記載の抽斗スライドレールキット。
【請求項４】
前記弾力アーム上には、操作部材を有し、
前記操作部材を操作することで、前記第一嵌着ブロックは、前記第二嵌着ブロックからロック解除されることを特徴とする請求項２に記載の抽斗スライドレールキット。
【請求項５】
抽斗スライドレールキットは、第一レール、第二レール、及び、抽斗フレーム、嵌着部材を有し、
前記第二レールは、前記第一レールに対して相対移動可能に前記第一レールに取り付けられ、前記第二レールは、複数の第一嵌着ブロックを有する嵌着部、係止部、及び、切り欠きを有する端部を有し、係止部は前記第二レールの側面に設けられ、
前記係止部は、前記第二レールから突出するように前記第二レールと一体成形され、
前記抽斗フレームは、キャリアを通して、前記第二レール上に取り付けられ、前記キャリアは、前部及び後部を有し、前記キャリアの後部は、前記係止部と同じ側の側面に接触部を有し、
前記嵌着部材は、前記切り欠きに嵌入される固定部材によって前記キャリア上に取り付けられるベース、前記ベースから延伸する弾力アーム、及び、前記弾力アーム上に位置する複数の第二嵌着ブロックを有し、
前記抽斗フレームを前記第二レールに取り付けると、前記嵌着部の第一嵌着ブロックと前記嵌着部材の第二嵌着ブロックとは交差して嵌着されるとともに、前記接触部は前記係止部に接触し、前記第二レールと前記抽斗フレームとが相対移動不能になることを特徴とする抽斗スライドレールキット。
【請求項６】
前記第一嵌着ブロックは、前端に第一斜面を有し、
前記第二嵌着ブロックは、前端に第二斜面を有し、
前記第二嵌着ブロックは、前記第二斜面により、前記第一嵌着ブロックの第一斜面を越え、前記第一嵌着ブロックと前記第二嵌着ブロックとは交差して嵌着されることを特徴とする請求項５に記載の抽斗スライドレールキット。
【請求項７】
前記弾力アームは、操作部材を有し、
前記操作部材を操作することで、前記第一嵌着ブロックは、前記第二嵌着ブロックからロック解除されることを特徴とする請求項５に記載の抽斗スライドレールキット。
【発明の詳細な説明】
【技術分野】
【０００１】
本発明は抽斗スライドレールキットに関し、特にスライドレールキットの抽斗フレームに取り付けられ迅速に取り付け／取り外しが行えるデバイスに関する。
【背景技術】
【０００２】
従来の抽斗の取り付け方法は、ネジ等固定部品を用いて抽斗をスライドレールキットの軌道上に固定するものである。これにより、抽斗は、スライドレールキットの引き出しにより、キャビネットから引き出され或いは収納される。
【０００３】
特許文献１に開示する抽斗の引き出しガイドデバイスは、閉鎖デバイスをスライドレールキットの軌道上に取り付け、さらに閉鎖デバイスを利用し、工具を用いず抽斗を軌道上に取り付けるものである。
一方、清掃等の目的で取り出す時には、閉鎖デバイスを緩め、軌道上から抽斗を取り外すことができる。
【０００４】
上記した通り特許文献１は、閉鎖デバイスを提供し、これにより抽斗をスライドレールキットに取り付け、或いはスライドレールキットから取り外すことができる。
しかしながら、前記特許文献１の閉鎖デバイスをスライドレールキットの軌道上に取り付け、抽斗を取り外す時には、使用者は両手を併用しなければならない。
その際には、片手で閉鎖デバイスを解除し、もう一方の手で抽斗を引き出さなければならない。
但し、抽斗は一般に一対のスライドレールキットにより抽斗の左右両側に取り付けられているため、使用者は左右両側の閉鎖デバイスを同時に取り外すことができない。
【先行技術文献】
【特許文献】
【０００５】
【特許文献１】米国特許第８８０７６７２号明細書
【特許文献２】米国特許第８０５６９９４号明細書
【特許文献３】米国特許第７６９５０８０号明細書
【特許文献４】米国特許出願公開第２０１１／００６８６７０号明細書
【発明の概要】
【発明が解決しようとする課題】
【０００６】
前記先行技術には、操作が極めて不便だという欠点がある。
【課題を解決するための手段】
【０００７】
本発明の目的は、抽斗の抽斗フレーム上に嵌着部材を取り付け、嵌着部材を利用しスライドレールキットの軌道上に取り外し可能なように嵌着され、抽斗フレームを迅速に取り付け及び取り外し可能な抽斗スライドレールキットを提供することにある。
【０００８】
本発明による抽斗スライドレールキットは、スライドレールパーツに用いられるクイックリリースデバイスで、第一レール、第二レール、抽斗フレーム、及び、嵌着部材を有する。
該第二レールは、該第一レールに対して相対移動可能に第一レールに取り付けられ、該第二レールは、嵌着部及び端部に切り欠きを有する。
該抽斗フレームは、該第二レールに取り付けられるキャリアを有する。
該嵌着部材は、切り欠きに嵌入される固定部材によってキャリアに固定される。
該抽斗フレームを、該第二レールに取り付けると、該嵌着部材を通して該嵌着部に嵌着され、該第二レールと該抽斗フレームとが相対移動不能になる。
【０００９】
該キャリアは、前部を有し、該嵌着部材は、該キャリアの前部に取り付けられる。
【００１０】
該キャリアは、該前部に相対した後部を有し、該キャリアの該後部は、側面に接触部を有し、該第二レールは、前記接触部と同じ側の側面に係止部を有し、該係止部は、該第二レールから突出するように該第二レールと一体に成形される。
該接触部は、該係止部に接触し、該係止部の係止を受ける。
【００１２】
第二レールは、複数の第一嵌着ブロックを有する嵌着部、係止部、及び、切り欠きを有する端部を有する。
該嵌着部材は、切り欠きに嵌入される固定部材によってキャリア上に取り付けられるベース、該ベースから延伸する弾力アーム、及び該弾力アーム上に位置する複数の第二嵌着ブロックを有する。
該第一嵌着ブロックと第二嵌着ブロックは交差して嵌着され、該第二レールと該抽斗フレームとが相対移動不能になる。
【００１３】
好ましくは、該第一嵌着ブロックは、前端に第一斜面を有し、該第二嵌着ブロックは、前端に第二斜面を有し、該第二嵌着ブロックは、該第二斜面により、該第一嵌着ブロックの第一斜面を越え、これにより該第一嵌着ブロックと該第二嵌着ブロックとは交差して嵌着される。
【００１４】
好ましくは、該弾力アーム上には、操作部材を有し、該操作部材を操作することで、該第一嵌着ブロックは、該第二嵌着ブロックからロック解除される。
【００１５】
本発明は嵌着部材により抽斗フレーム上に取り付けられるため、片手取り外しの目的を達成することができる。
具体的には、本発明は両手で同時に抽斗を左右両側のスライドレールキットから離脱させられるため、操作が便利である。
また、抽斗フレームを迅速に取り付け及び取り外しを行うことができる。
また、接触部及び係止部はそれぞれキャリア及び第二レールの同じ側の側面に設けられるため、キャリア及び第二レールの上面に設けられる場合に比べ、キャリア及び第二レールの上側に空間が確保され、抽斗の収納スペースをより大きくすることができる。
さらに、係止部は第二レールと一体に形成されるため、部品同士の組合せにより形成される場合に比べ、ぐらつきやガタがなく堅牢であり、また部品点数や工程も少なくて済み、製造コストや作業工数を少なくできる。
【図面の簡単な説明】
【００１６】
【図１】本発明の一実施形態において、抽斗が一対のスライドレールキットによりキャビネット上に取り付けられる様子の立体模式図である。
【図２】本発明の一実施形態において、抽斗の抽斗フレームがスライドレールキットに取り付けられる様子の立体模式図である。
【図３】本発明の一実施形態において、抽斗フレームが嵌着部材を通してスライドレールキットの第二レールに取り付けられる様子の立体分解図である。
【図４】本発明の一実施形態において、抽斗フレームが第二レールに取り付けられる時、嵌着部材を利用して第二レールの嵌着部に対応する様子の平面模式図である。
【図５】本発明の一実施形態において、抽斗フレームが第二レールに取り付けられる時、嵌着部材の第二嵌着ブロックが第二斜面を利用し嵌着部の第一嵌着ブロックの第一斜面を越える様子の平面模式図である。
【図６】本発明の一実施形態において、抽斗フレームが第二レールに取り付けられる時、嵌着部材の第二嵌着ブロックと第二レールの嵌着部の第一嵌着ブロックとが交差して嵌着され、第二レールと抽斗フレームとが相対移動不能になる様子の平面模式図である。
【図７】本発明の一実施形態において、キャリアが接触部を有し、第二レールの係止部に対応する様子の立体模式図である。
【図８】本発明の一実施形態において、キャリアの接触部が第二レールの係止部に接触する様子の立体模式図である。
【図９】本発明の一実施形態において、抽斗フレームのキャリアの接触部が第二レールの係止部に接触する様子の平面模式図である。
【図１０】図２の断面図であり、嵌着部材がネジを利用し抽斗フレームのキャリア上に固定され、しかも第二レールの切り欠きに嵌入する様子を示す。
【図１１】本発明の一実施形態において、操作部材を捜査することで、嵌着部材が第二レールの嵌着部からロック解除される様子の模式図である。
【発明を実施するための形態】
【００１７】
（一実施形態）
図１に示す抽斗１０は、一対のスライドレールキット１２により、キャビネット１４上に取り付けられ、該一対のスライドレールキット１２により、抽斗１０を、キャビネット１４中から引き出し、或いは収納する。
抽斗１０は、一対の抽斗フレーム１６、前端板１８、後端板２０、及び、底板２２により組成される。
一対の抽斗フレーム１６は、一対のスライドレールキット１２上に取り付けられ、抽斗スライドレールキットを構成する。
【００１８】
図２に示す抽斗フレーム１６は、スライドレールキット１２に取り付けられる。
スライドレールキット１２は、第一レール２４、及び、第一レール２４に対して相対移動可能な第二レール２６を有する。
第三レール２８をさらに有し、第一レール２４と第二レール２６との間に可動するように連接し、第二レール２６の第一レール２４に対する引き出し長さを拡大する。
抽斗フレーム１６は、キャリア３０を通して、第二レール２６上に取り付けられる。
【００１９】
図３に示す通り、第二レール２６は、嵌着部３２を有する。
実施において、嵌着部３２は、第二レール２６に接続するか、或いは、第二レール２６にそのまま形成される。
一方、抽斗フレーム１６上には嵌着部材３４が嵌着部３２に対応して取り付けられている。
【００２０】
具体的には、抽斗フレーム１６のキャリア３０は、前部３６、及び、位置が前部３６に相対する後部３８を有する。
該嵌着部材３４は、キャリア３０の前部３６に対応して取り付けられる。
嵌着部材３４は、ネジ等の固定部材４０を利用し、キャリア３０の前部３６に固定され、しかも第二レール２６の端部には、切り欠き４２を有し、固定部材４０は、切り欠き４２に対応する。
【００２１】
図４〜図６に示す通り、嵌着部３２は、複数の第一嵌着ブロック４４を有する。
嵌着部材３４は、キャリア３０上に取り付けられるベース４、ベース４６から延伸する弾力アーム４８、及び、弾力アーム４８上に位置する複数の第二嵌着ブロック５０を有する。
第一嵌着ブロック４４の前端には、第一斜面５２を有し、第二嵌着ブロック５０の前端には、第二斜面５４を有する。
【００２２】
具体的には、抽斗フレーム１６のキャリア３０を、第二レール２６に取り付けるときには、先ずキャリア３０の部分を第二レール２６上に跨がせて設置する。
続いて、キャリア３０に外力Ｆ１を加え、キャリア３０を第二レール２６上に置いて取り付け位置へと移動させる。
このとき、嵌着部材３４は第二レール２６の嵌着部３２へと徐々に近づき、嵌着部材３４の第二嵌着ブロック５０は、嵌着部３２の第一嵌着ブロック４４に接触する。
続けて外力Ｆ１を加えると、嵌着部材３４の第二嵌着ブロック５０は、第二斜面５４を利用して第一嵌着ブロック４４の第一斜面５２を押し、弾力アーム４８は開かれる。これにより、第二嵌着ブロック５０は、第一嵌着ブロック４４を越え、第一嵌着ブロック４４と第二嵌着ブロック５０とは交差して嵌着され、すなわち、噛み合いし、第二レール２６と抽斗フレーム１６とが相対移動不能になる。
【００２３】
図７〜図９に示す通り、キャリア３０の後部３８は、接触部５６を有し、第二レール２６は、係止部５８を有し、接触部５６は、係止部５８に対応する。
外力Ｆ１が加えられ、キャリア３０が第二レール２６上で移動し、取り付け位置に到達すると、接触部５６は係止部５８に接触し、係止部５８の係止を受ける。
具体的には、接触部５６は凹溝で、係止部５８は突出した係止板である。
キャリア３０が第二レール２６上で移動し、取り付け位置に到達すると、係止板は凹溝中に嵌入して固定される（図８及び図９参照）。これにより、抽斗フレーム１６が、キャリア３０を利用して第二レール２６に取り付けられるときには、キャリア３０の前部３６及び後部３８はともに第二レール２６上に堅固に固定される。
【００２４】
図１０に示す通り、抽斗フレーム１６を第二レール２６に取り付ける時には、固定部材４０は第二レール２６の切り欠き４２中にちょうど嵌入され、切り欠き４２により位置を限定される。
よって、抽斗１０（抽斗１０は図１参照）が引き出し過程で生じる横方向の振動は、第一嵌着ブロック４４及び第二嵌着ブロック５０の緩みによるロック解除を引き起こすことはない。
こうして、機構の安定性を高めることができる（第一嵌着ブロック４４及び第二嵌着ブロック５０は図６参照）。
【００２５】
図１１に示す通り、嵌着部材３４の弾力アーム４８上には、操作部材６０を有する。
抽斗１０（抽斗１０は図１参照）を清掃等目的で取り出す時には、使用者は片手の親指以外の四本の指を利用し、操作部材６０に対して横方向の外力Ｆ２を加える。これにより、弾力アーム４８は開かれ、第一嵌着ブロック４４は第二嵌着ブロック５０は解除される。
続いて、手のひらを利用し、抽斗フレーム１６を握り、取り付け位置の反対方向に、抽斗フレーム１６に対して外力Ｆ３を加える。これにより、キャリア３０は第二レール２６上で、引き出し位置へと移動し、抽斗フレーム１６と第二レール２６とは分離される。
【００２６】
本発明は嵌着部材３４により抽斗フレーム１６上に取り付けられるため、片手取り外しの目的を達成することができる。
具体的には、本発明は両手で同時に抽斗１０（図１参照）を左右両側のスライドレールキット１２から離脱させられ、操作は便利である。
また、抽斗フレームを迅速に取り付け及び取り外しすることができる。
【００２７】
前述した本発明の実施形態は本発明を限定するものではなく、よって、本発明により保護される範囲は後述される特許請求の範囲を基準とする。
【符号の説明】
【００２８】
１０  抽斗、
１２  スライドレールキット、
１４  キャビネット、
１６  抽斗フレーム、
１８  前端板、
２０  後端板、
２２  底板、
２４  第一レール、
２６  第二レール、
２８  第三レール、
３０  キャリア、
３２  嵌着部、
３４  嵌着部材、
３６  前部、
３８  後部、
４０  固定部材、
４２  切り欠き、
４４  第一嵌着ブロック、
４６  ベース、
４８  弾力アーム、
５０  第二嵌着ブロック、
５２  第一斜面、
５４  第二斜面、
５６  接触部、
５８  係止部、
６０  操作部材、
Ｆ１  外力、
Ｆ２  外力、
Ｆ３  外力。
【図１】
0006505053.tif 000002
【図２】
0006505053.tif 000003
【図３】
0006505053.tif 000004
【図４】
0006505053.tif 000005
【図５】
0006505053.tif 000006
【図６】
0006505053.tif 000007
【図７】
0006505053.tif 000008
【図８】
0006505053.tif 000009
【図９】
0006505053.tif 000010
【図１０】
0006505053.tif 000011
【図１１】
0006505053.tif 000012